(57)【要約】【課題】複数の消灯モードや調光モードがある場合、いずれのモードで消灯・調光しているかを判別できる照明装置を提供する。【解決手段】照明装置１０は、主照明２１，２３と、常夜灯２４と、主照明２１，２３および常夜灯２４に給電する点灯回路部１５と、点灯回路部１５を制御する制御部３３とを備え、制御部３３は、センサ制御モードにおける明るさセンサ調光モードと、リモコンモードにおけるリモコン調光モードとを有し、電源の遮断時間が所定時間に達しない場合、センサ制御モードとリモコンモードとで異なる動作を行う。【選択図】図３
2012199009.tif 000002
【特許請求の範囲】
【請求項１】
主照明と、
常夜灯と、
前記主照明および前記常夜灯に給電する点灯回路部と、
前記点灯回路部を制御する制御部とを備え、
前記制御部は、
明るさセンサと、リモコン信号受信部と、電源遮断検出回路とを備え、
前記明るさセンサの出力に基づいて点灯制御を行うセンサ制御モードと、前記リモコン信号受信部により受信したリモコン信号によって点灯制御を行うリモコンモードとを有し、
前記センサ制御モードにより前記主照明の調光制御を行う明るさセンサ調光モード、または前記リモコンモードにより前記主照明の調光制御を行うリモコン調光モードにおいて、前記電源遮断検出回路により検出された電源の遮断時間が所定時間の範囲の場合、前記主照明および前記常夜灯の点灯状態を順次切り替え、
前記電源の遮断時間が前記所定時間に達しない場合、前記センサ制御モードと前記リモコンモードとで異なる動作を行う照明装置。
【請求項２】
主照明と、
常夜灯と、
前記主照明および前記常夜灯に給電する点灯回路部と、
前記点灯回路部を制御する制御部とを備え、
前記制御部は、
明るさセンサと、リモコン信号受信部と、電源遮断検出回路とを備え、
前記明るさセンサの出力に基づいて点灯制御を行うセンサ制御モードと、前記リモコン信号受信部により受信したリモコン信号によって点灯制御を行うリモコンモードとを有し、
前記センサ制御モードにより前記主照明の消灯制御を行う明るさセンサ消灯モード、または前記リモコンモードによって前記主照明の消灯制御を行うリモコン消灯モードにおいて、前記電源遮断検出回路により検出された電源の遮断時間が所定時間の範囲の場合、前記主照明および前記常夜灯の点灯状態を順次切り替え、
前記電源の遮断時間が前記所定時間に達しない場合、前記センサ制御モードと前記リモコンモードとで異なる動作を行う照明装置。
【請求項３】
請求項１または請求項２に記載の照明装置において、
前記異なる動作とは、一方のモードが前記常夜灯を点灯後に消灯させ、もう一方のモードが前記常夜灯を点滅後に消灯させる組み合わせである照明装置。
【請求項４】
請求項１または請求項２に記載の照明装置において、
前記異なる動作とは、一方のモードが前記主照明を点灯後に消灯させ、もう一方のモードが前記主照明を点滅後に消灯させる組み合わせである照明装置。
【請求項５】
請求項１または請求項２に記載の照明装置において、
前記異なる動作とは、一方のモードが前記主照明を点灯ないし点滅後に消灯させ、もう一方のモードが前記常夜灯を点灯ないし点滅後に消灯させる組み合わせである照明装置。
【請求項６】
請求項１または請求項２に記載の照明装置において、
前記異なる動作とは、明るさセンサモード状態であることを表示する表示手段を、一方のモードの時に点灯させ、もう一方のモードの時に消灯させる照明装置。
【発明の詳細な説明】
【技術分野】
【０００１】
本発明は、外光に応じて調光を行う自動調光機能を有する照明装置に関する。
【背景技術】
【０００２】
従来より、消灯モード下において電源スイッチに対してオフ状態からオン状態への切り替え操作が施されたときに保安球を一時的に発光させる照明装置が知られている（例えば、特許文献１参照）。
【先行技術文献】
【特許文献】
【０００３】
【特許文献１】特開２００３−３３２０８４号公報（図１、請求項１）
【発明の概要】
【発明が解決しようとする課題】
【０００４】
特許文献１は、プルレス動作に失敗しても壁スイッチにて電源をオンさせる都度保安球が一時的に点灯するシーケンスとなっているため操作者が電源のオン状態を把握でき、混乱を回避できる。
特許文献１は、リモコンでの消灯状態から、電源の遮断時間が短すぎた場合、リモコンで消灯しているのか、あるいは、電源遮断時間が適切で消灯しているのかが分かり難いので、１つのモードに対して、いずれの状態であるかを判別する手段を設けた。
しかし、特許文献１は、複数の消灯モードや調光モードがある場合、いずれのモードで消灯・調光しているかを判別することができない。
【０００５】
本発明は、前述した課題を解決するためになされたものであり、その目的は、複数の消灯モードや調光モードがある場合、いずれのモードで消灯・調光しているかを判別できる照明装置を提供することにある。
【課題を解決するための手段】
【０００６】
本発明に係る照明装置は、主照明と、常夜灯と、前記主照明および前記常夜灯に給電する点灯回路部と、前記点灯回路部を制御する制御部とを備え、前記制御部は、明るさセンサと、リモコン信号受信部と、電源遮断検出回路とを備え、前記明るさセンサの出力に基づいて点灯制御を行うセンサ制御モードと、前記リモコン信号受信部により受信したリモコン信号によって点灯制御を行うリモコンモードとを有し、前記センサ制御モードにより前記主照明の調光制御を行う明るさセンサ調光モード、または前記リモコンモードにより前記主照明の調光制御を行うリモコン調光モードにおいて、前記電源遮断検出回路により検出された電源の遮断時間が所定時間の範囲の場合、前記主照明および前記常夜灯の点灯状態を順次切り替え、前記電源の遮断時間が前記所定時間に達しない場合、前記センサ制御モードと前記リモコンモードとで異なる動作を行う。
【０００７】
本発明に係る照明装置は、主照明と、常夜灯と、前記主照明および前記常夜灯に給電する点灯回路部と、前記点灯回路部を制御する制御部とを備え、前記制御部は、明るさセンサと、リモコン信号受信部と、電源遮断検出回路とを備えて、前記明るさセンサの出力に基づいて点灯制御を行うセンサ制御モードと、前記リモコン信号受信部により受信したリモコン信号によって点灯制御を行うリモコンモードとを有し、前記センサ制御モードにより前記主照明の消灯制御を行う明るさセンサ消灯モード、または前記リモコンモードによって前記主照明の消灯制御を行うリモコン消灯モードにおいて、前記電源遮断検出回路により検出された電源の遮断時間が所定時間の範囲の場合、前記主照明および前記常夜灯の点灯状態を順次切り替え、前記電源の遮断時間が前記所定時間に達しない場合、前記センサ制御モードと前記リモコンモードとで異なる動作を行う。
【０００８】
本発明に係る照明装置は、前記異なる動作とは、一方のモードが前記常夜灯を点灯後に消灯させ、もう一方のモードが前記常夜灯を点滅後に消灯させる組み合わせである。
【０００９】
本発明に係る照明装置は、前記異なる動作とは、一方のモードが前記主照明を点灯後に消灯させ、もう一方のモードが前記主照明を点滅後に消灯させる組み合わせである。
【００１０】
本発明に係る照明装置は、前記異なる動作とは、一方のモードが前記主照明を点灯ないし点滅後に消灯させ、もう一方のモードが前記常夜灯を点灯ないし点滅後に消灯させる組み合わせである。
【００１１】
本発明に係る照明装置は、前記異なる動作とは、明るさセンサモード状態であることを表示する表示手段を、一方のモードの時に点灯させ、もう一方のモードの時に消灯させる。
【発明の効果】
【００１２】
本発明に係る照明装置によれば、複数の消灯モードや調光モードがある場合、いずれのモードで消灯・調光しているかを判別できるという効果を奏する。
【図面の簡単な説明】
【００１３】
【図１】本発明に係る第１実施形態の照明装置の側面図
【図２】本発明に係る第１実施形態の照明装置の底面図
【図３】本発明に係る第１実施形態の照明装置の点灯回路部のブロック構成図
【図４】本発明に係る第１実施形態の照明装置のフローチャート
【図５】本発明に係る第１実施形態の照明装置のタイミングチャート
【図６】比較に用いた照明装置における電源の遮断時間が規定以上の場合のタイミングチャート
【図７】比較に用いた照明装置における電源の遮断時間が規定以下の場合のタイミングチャート
【図８】本発明に係る第２実施形態の照明装置のフローチャート
【図９】本発明に係る第２実施形態の照明装置のタイミングチャート
【図１０】比較に用いた照明装置における電源の遮断時間が規定以上の場合のタイミングチャート
【図１１】比較に用いた照明装置における電源の遮断時間が規定以下の場合のタイミングチャート
【図１２】本発明に係る第３実施形態の照明装置のタイミングチャート
【図１３】本発明に係る第４実施形態の照明装置のタイミングチャート
【図１４】本発明に係る第４実施形態の照明装置の変形例のタイミングチャート
【図１５】本発明に係る第５実施形態の照明装置のタイミングチャート
【図１６】本発明に係る第５実施形態の照明装置の変形例のタイミングチャート
【発明を実施するための形態】
【００１４】
以下、本発明に係る複数の実施形態の照明装置について図面を参照して説明する。
（第１実施形態）
本発明に係る第１実施形態の照明装置１０は、住宅用シーリングタイプの照明器具１１と、赤外線式のリモコン１２とを備える。
図１に示すように、照明器具１１は、角型の板形状に形成された筐体１３と、筐体１３に取り付けられるカバー１４と、筐体１３に取り付けられてカバー１４により覆われる点灯回路部１５とを備える。
また、照明器具１１は、筐体１３に取り付けられたＬＥＤユニット１６と、ＬＥＤユニット１６を覆う樹脂製の拡散カバー１７と、筐体１３に取り付けられてカバー１４の側部に配置されるセンサ部１８とを備える。
そして、照明器具１１は、筐体１３の中央部に配置された器具固定部兼電源接続部１９が、天井面１に設置された不図示の引掛シーリングに取り付けられる。
これにより、照明器具１１は、器具固定部兼電源接続部１９が引掛シーリングに機械的に固定されるとともに点灯回路部１５が外部回路に電気的に接続される。
【００１５】
図２に示すように、照明器具１１は、筐体１３の周囲を囲むようにＬＥＤユニット１６がロ字形状に配置されている。
ＬＥＤユニット１６は、複数の第１種のＬＥＤ素子２０を有する一方のＬＥＤユニット２１、および複数の第２種のＬＥＤ素子２２を有する他方のＬＥＤユニット２３による２系統の発光ユニットを備える。
第１種のＬＥＤ素子２０と第２種のＬＥＤ素子２２とは、互い違いに配置される。
なお、ＬＥＤユニット１６は、ＬＥＤ素子２０およびＬＥＤ素子２２に代えて、有機ＥＬや、蛍光灯や、白熱灯等を適用した発光ユニットとすることもできる。
【００１６】
照明器具１１は、筐体１３の中央部に常夜灯２４が配置されており、点灯回路部１５に有する回路基板２５に実装された受光素子２６が常夜灯２４から離れた位置に配置されている。
受光素子２６は、拡散カバー１７に形成された孔２７を通じて赤外線リモコン信号を受信する。
センサ部１８は、ＬＥＤ素子２０およびＬＥＤ素子２２からの光が直接入射されないように、カバー１４の側縁部に配置されている。
照明器具１１は、例えば住宅の居室等において、床面、机上面等の被照射面の平均照度をほぼ一定に保ち、省エネルギーが可能なように、外光に応じて調光を行う自動調光機能を有する。
【００１７】
リモコン１２は、複数の操作ボタンのうちの一つの操作ボタン２８が押下されることにより、赤外線ＬＥＤ２９から赤外線リモコン信号が送信される。
赤外線リモコン信号は、照明器具１１の受光素子２６により受信されることにより、点灯回路部１５により処理が行われて所定のリモコンモードが実行される。
ここで、リモコンモードとは、点灯、調光、常夜灯の点灯、調光レベルを上げる、調光レベルを下げる、消灯、センサ制御機能の開始、目標値の設定である。
なお、リモコン１２が送信する信号（リモコン信号）としては、赤外線に代えて、微弱無線、特定小電力無線等を適用することができる。
【００１８】
図３に示すように、点灯回路部１５は、壁スイッチ３０を通じて商用電源ＡＣに接続されている。点灯回路部１５は、整流回路３１と、電源遮断検出回路３２と、メモリ３４およびマイコン３５を有する制御部３３と、電源部３６とを備える。
マイコン３５は、受光素子２６およびセンサ部１８に接続される。
【００１９】
点灯回路部１５は、電源部３６に、入力フィルタ３７と、整流回路３８と、昇圧チョッパ３９と、制御ＩＣ４０と、降圧チョッパ４１と、降圧チョッパ４２とを備え、さらに降圧チョッパ４３を備える。
降圧チョッパ４１は、一方のＬＥＤユニット２１に接続され、降圧チョッパ４２は、他方のＬＥＤユニット２３に接続され、降圧チョッパ４３は、常夜灯２４に接続される。
なお、降圧チョッパ４１および降圧チョッパ４２は、一方のＬＥＤユニット２１および他方のＬＥＤユニット２３に並列に接続されてもよい。
【００２０】
点灯回路部１５は、センサ部１８は、内蔵されているフォトダイオード等の不図示の明るさセンサにより、入射される光量に応じた電流を点灯回路部１５に出力する。
明るさセンサの電流は、出力端に接続される負荷抵抗によって電圧に変換され、センサ電圧値（明るさ検出信号）として制御部３３のマイコン３５のアナログ入力端子に入力される。
【００２１】
点灯回路部１５は、リモコンモードとセンサ制御モードのそれぞれのモードにおいて、ＬＥＤユニット１６による主照明と常夜灯２４の点灯制御を実行する。各モードにおける処理は、点灯回路部１５のマイコン３５においてプログラムを実行することにより行われる。リモコンモードにおいて、調光制御を行う調光モード（リモコン調光モード）、消灯制御を行う消灯モード（リモコン消灯モード）を含み、リモコン１２からのリモコン信号によって点灯回路部１５が点灯制御処理を行う。
【００２２】
センサ制御モードは、調光制御を行う調光モード（明るさセンサ調光モード）、消灯制御を行う消灯モード（明るさセンサ消灯モード）を含み、センサ部１８からの明るさ検出信号によって点灯回路部１５が点灯制御処理を行う。センサ制御モードにおいて、点灯回路部１５は、マイコン３５の内部でアナログ−デジタル変換したセンサ電圧値を目標値と比較する。
そして、点灯回路部１５は、センサ電圧値が目標値に略一致する方向に、一方のＬＥＤユニット２１および他方のＬＥＤユニット２３の出力を調整するように、調光信号（ＰＷＭ信号）を電源部３６の制御ＩＣ４０に出力する。このセンサ制御モードにおける自動調光動作が明るさセンサ調光モードである。自動調光動作によって、被照射面の明るさが略一定となるように制御される。
【００２３】
点灯回路部１５は、センサ部１８に入射される光量が多くなり、目標値に略一定になるように光源出力をフィードバック制御した結果、調光下限値に張り付いた状態が一定時間経過した場合、ＬＥＤユニット１６を消灯させる。このセンサ制御モードにおける消灯制御動作が明るさセンサ消灯モードである。
【００２４】
制御ＩＣ４０は、ＬＥＤユニット２１およびＬＥＤユニット２３に給電される電流が一定となるように、降圧チョッパ４１および降圧チョッパ４２の出力電圧を調整するフィードバック制御を行う。
制御ＩＣ４０は、調光信号に応じてＬＥＤユニット２１およびＬＥＤユニット２３に給電される電流の目標値が変化することによって、降圧チョッパ４１および降圧チョッパ４２の出力調整を行う。
【００２５】
壁スイッチ３０が操作されると、商用電源ＡＣの遮断を電源遮断検出回路３２が検出する。この電源遮断検出回路３２の電源遮断検出信号に基づいて、マイコン３５は電源が遮断している時間を判定する。
【００２６】
図４に示すように、点灯回路部１５が駆動されると、マイコン３５は、以下の制御動作を実行する。
電源遮断時間が規定時間以上であって、一方のＬＥＤユニット２１および他方のＬＥＤユニット２３である主照明が点灯中であると、主照明を消灯し、常夜灯２４を点灯させる（Ｓ１１→Ｓ１２→Ｓ１３）。
すなわち、図５に示す時点Ｔ１の以後の時点Ｔ２において、主照明を消灯し、常夜灯２４を点灯させる。
【００２７】
電源遮断時間が規定時間以上であって、主照明が点灯中ではなく、主照明が調光中ではなく、常夜灯２４が点灯中であると、主照明を点灯させ、常夜灯２４を消灯させる（Ｓ１１→Ｓ１２→Ｓ１４→Ｓ１５→Ｓ１６）。
すなわち、図５に示す時点Ｔ３の以後の時点Ｔ４において、主照明を点灯し、常夜灯２４を消灯させる。
【００２８】
電源遮断時間が規定時間以上であって、主照明が点灯中ではなく、主照明が調光中ではなく、常夜灯２４が点灯中ではないと、主照明を点灯させ、常夜灯２４を消灯させる（Ｓ１１→Ｓ１２→Ｓ１４→Ｓ１５→Ｓ１７）。
【００２９】
電源遮断時間が規定時間以上であって、主照明が点灯中ではなく、主照明が調光中であると、主照明を点灯させ、常夜灯２４を消灯させる（Ｓ１１→Ｓ１２→Ｓ１４→Ｓ１６）。
【００３０】
一方、電源遮断時間が規定時間以上ではなく、主照明が点灯中であると、この状態が維持される（Ｓ１１→Ｓ１８）。
電源遮断時間が規定時間以上ではなく、主照明が点灯中ではなく、常夜灯２４が点灯中であると、この状態が維持される（Ｓ１１→Ｓ１８→Ｓ１９）。
【００３１】
電源遮断時間が規定時間以上ではなく、主照明が点灯中ではなく、常夜灯２４が点灯中ではなく、リモコン１２によるリモコンモードで消灯中であると、常夜灯２４を一瞬点滅させて消灯させる（Ｓ１１→Ｓ１８→Ｓ１９→Ｓ２０→Ｓ２１）。
すなわち、図５に示す時点Ｔ６の以後の時点Ｔ７において、常夜灯２４を一瞬点滅させて消灯させる。
【００３２】
電源遮断時間が規定時間以上ではなく、主照明が点灯中ではなく、常夜灯２４が点灯中ではなく、センサ制御モードで消灯中であると、常夜灯２４を一瞬点灯させて消灯させる（Ｓ１１→Ｓ１８→Ｓ１９→Ｓ２０→Ｓ２２→Ｓ２３）。
すなわち、図５に示す時点Ｔ１０の以後の時点Ｔ１１において、常夜灯２４を一瞬点灯させて消灯させる。
【００３３】
これに対して、図６に示すように、比較に用いた本実施形態の機能を有しない照明装置において、電源の遮断時間が規定以上の場合、電源が遮断される以前と点灯状態が切り替わる。
すなわち、電源が遮断される時点Ｔ１の以後の時点Ｔ２と、時点Ｔ３以後の時点Ｔ４と、時点Ｔ６の以後の時点Ｔ７と、時点Ｔ１０以後の時点Ｔ１１と、時点Ｔ１２の以後の時点Ｔ１３と、時点Ｔ１５の以後の時点Ｔ１６とにおいて点灯状態が変更される。
【００３４】
また、図７に示すように、比較に用いた本実施形態の機能を有しない照明装置において、電源の遮断時間が規定以上ではない場合、電源が遮断される以前の点灯状態のままである。
すなわち、電源が遮断される時点Ｔ１の以後の時点Ｔ２と、時点Ｔ３以後の時点Ｔ４と、時点Ｔ６の以後の時点Ｔ７と、時点Ｔ１０以後の時点Ｔ１１と、時点Ｔ１２の以後の時点Ｔ１３と、時点Ｔ１５の以後の時点Ｔ１６とにおいて点灯状態は変更されない。
【００３５】
つまり、本実施形態の照明装置１０は、電源の遮断時間が規定よりも短い場合、常夜灯２４を一瞬点滅させたり、常夜灯２４を一瞬点灯させたりすることにより、リモコンモードで消灯しているのか、センサ制御モードで消灯しているかを使用者に通知する。
従って、照明装置１０は、複数のモードで照明が消灯状態になる場合に、どのモードで消灯状態になっているのかを容易に判別でき、メンテナンスを行い易くできる。
【００３６】
以上、説明したように第１実施形態の照明装置１０によれば、複数の消灯モードや調光モードがある場合、いずれのモードで消灯・調光しているかを判別できる。
【００３７】
また、第１実施形態の照明装置１０によれば、一方のモードが常夜灯２４を点灯後に消灯させ、もう一方のモードが常夜灯２４を点滅後に消灯させる組み合わせにおいて、いずれのモードで消灯・調光しているかを判別できる。
【００３８】
（第２実施形態）
次に、本発明に係る第２実施形態の照明装置について説明する。
なお、以下の各実施形態において、前述した第１実施形態と重複する構成要素や機能的に同様な構成要素については、図中に同一符号あるいは相当符号を付することによって説明を簡略化あるいは省略する。
【００３９】
図８に示すように、本発明に係る第２実施形態の照明装置５０は、以下の制御動作を実行する。つまり、第２実施形態は、第１実施形態における点灯回路部１５のマイコン３５の制御動作を一部変更した例である。
電源遮断時間が規定時間以上であって、主照明が点灯中であると、主照明を消灯し、常夜灯２４を点灯させる（Ｓ１１→Ｓ１２→Ｓ１３）。
すなわち、図９に示す時点Ｔ１の以後の時点Ｔ２において、主照明を消灯し、常夜灯２４を点灯させる。
【００４０】
電源遮断時間が規定時間以上であって、主照明が点灯中ではなく、主照明が調光中ではなく、常夜灯２４が点灯中であると、主照明を点灯させ、常夜灯２４を消灯させる（Ｓ１１→Ｓ１２→Ｓ１４→Ｓ１５→Ｓ１６）。
すなわち、図９に示す時点Ｔ３の以後の時点Ｔ４において、主照明を点灯し、常夜灯２４を消灯させる。
【００４１】
電源遮断時間が規定時間以上であって、主照明が点灯中ではなく、主照明が調光中ではなく、常夜灯２４が点灯中ではないと、主照明を点灯させ、常夜灯２４を消灯させる（Ｓ１１→Ｓ１２→Ｓ１４→Ｓ１５→Ｓ１７）。
【００４２】
電源遮断時間が規定時間以上であって、主照明が点灯中ではなく、主照明が調光中であると、主照明を点灯させ、常夜灯２４を消灯させる（Ｓ１１→Ｓ１２→Ｓ１４→Ｓ１６）。
【００４３】
一方、電源遮断時間が規定時間以上ではなく、主照明が点灯中であると、この状態が維持される（Ｓ１１→Ｓ１８）。
電源遮断時間が規定時間以上ではなく、主照明が点灯中ではなく、常夜灯２４が点灯中であると、この状態が維持される（Ｓ１１→Ｓ１８→Ｓ１９）。
【００４４】
電源遮断時間が規定時間以上ではなく、主照明が点灯中ではなく、常夜灯２４が点灯中ではなく、リモコン１２によるリモコンモードで調光中であると、常夜灯２４を一瞬点灯させて消灯させる（Ｓ１１→Ｓ１８→Ｓ１９→Ｓ３０→Ｓ３１）。
すなわち、図９に示す時点Ｔ１５の以後の時点Ｔ１６において、常夜灯２４を一瞬点灯させて消灯させる。
【００４５】
電源遮断時間が規定時間以上ではなく、主照明が点灯中ではなく、常夜灯２４が点灯中ではなく、センサ制御モードで調光中であると、常夜灯２４を一瞬点滅させて消灯させる（Ｓ１１→Ｓ１８→Ｓ１９→Ｓ３０→Ｓ３２→Ｓ３３）。
すなわち、図９に示す時点Ｔ１０の以後の時点Ｔ１１において、常夜灯２４を一瞬点滅させて消灯させる。
【００４６】
これに対して、図１０に示すように、比較に用いた本実施形態の機能を有しない照明装置において電源の遮断時間が規定以上の場合、電源が遮断される以前と点灯状態が切り替わる。
すなわち、電源が遮断される時点Ｔ１の以後の時点Ｔ２と、時点Ｔ３以後の時点Ｔ４と、時点Ｔ６の以後の時点Ｔ７と、時点Ｔ１０以後の時点Ｔ１１と、時点Ｔ１２の以後の時点Ｔ１３と、時点Ｔ１５の以後の時点Ｔ１６とにおいて点灯状態が変更される。
【００４７】
また、図１１に示すように、比較に用いた本実施形態の機能を有しない照明装置において電源の遮断時間が規定以上ではない場合、電源が遮断される以前の点灯状態のままである。
すなわち、電源が遮断される時点Ｔ１の以後の時点Ｔ２と、時点Ｔ３以後の時点Ｔ４と、時点Ｔ６の以後の時点Ｔ７と、時点Ｔ１０以後の時点Ｔ１１と、時点Ｔ１２の以後の時点Ｔ１３と、時点Ｔ１５の以後の時点Ｔ１６とにおいて点灯状態は変更されない。
【００４８】
つまり、本実施形態の照明装置５０は、電源の遮断時間が規定よりも短い場合、常夜灯２４を一瞬点滅させたり、常夜灯２４を一瞬点灯させたりすることにより、リモコンモードで調光しているのか、センサ制御モードで調光しているかを使用者に通知する。
従って、照明装置５０は、複数のモードで照明が消灯状態になる場合に、どのモードで調光状態になっているのかを容易に判別でき、メンテナンスを行い易くできる。
【００４９】
第２実施形態の照明装置５０によれば、複数の消灯モードや調光モードがある場合、いずれのモードで消灯・調光しているかを判別できる。
【００５０】
（第３実施形態）
次に、本発明に係る第３実施形態の照明装置について説明する。
本発明に係る第３実施形態の照明装置６０は、消灯や調光が、リモコンモードなのかセンサ制御モードなのかを使用者に通知する手段として、主照明を動作させる。つまり、第３実施形態は、第１実施形態における点灯回路部１５のマイコン３５の制御動作を一部変更した例である。
図１２に示すように、リモコンモードでの消灯中に、電源の遮断時間が規定以上ではないことが時点Ｔ６において検出された場合、時点Ｔ７において主照明を一瞬点滅させた後に消灯させる。
また、センサ制御モードでの消灯中に、電源の遮断時間が規定以上ではないことが時点Ｔ１０において検出された場合、時点Ｔ１１において主照明を一瞬点灯させた後に消灯させる。
【００５１】
第３実施形態の照明装置６０によれば、常夜灯を設置できない場合に判別ができる。
【００５２】
（第４実施形態）
次に、本発明に係る第４実施形態の照明装置について説明する。
本発明に係る第４実施形態の照明装置７０は、消灯や調光が、リモコンモードなのかセンサ制御モードなのかを使用者に通知する手段として、主照明および常夜灯２４を一瞬点灯させる。つまり、第４実施形態は、第１実施形態における点灯回路部１５のマイコン３５の制御動作を一部変更した例である。
図１３に示すように、リモコンモードでの消灯中に、電源の遮断時間が規定以上ではないことが時点Ｔ６において検出された場合、時点Ｔ７において常夜灯２４を一瞬点灯させた後に消灯させる。
また、センサ制御モードでの消灯中に、電源の遮断時間が規定以上ではないことが時点Ｔ１０において検出された場合、時点Ｔ１１において主照明を一瞬点灯させた後に消灯させる。
【００５３】
図１４に示すように、本発明に係る第４実施形態の照明装置７０の変形例は、消灯や調光が、リモコンモードなのかセンサ制御モードなのかを使用者に通知する手段として、主照明および常夜灯２４を一瞬点滅させる。
この場合、リモコンモードでの消灯中に、電源の遮断時間が規定以上ではないことが時点Ｔ６において検出された場合、時点Ｔ７において主照明を一瞬点滅させた後に消灯させる。
また、センサ制御モードでの消灯中に、電源の遮断時間が規定以上ではないことが時点Ｔ１０において検出された場合、時点Ｔ１１において常夜灯２４を一瞬点滅させた後に消灯させる。
【００５４】
第４実施形態の照明装置７０によれば、一方のモードが主照明を点灯ないし点滅後に消灯させ、もう一方のモードが常夜灯２４を点灯ないし点滅後に消灯させる組み合わせにおいて、いずれのモードで消灯・調光しているかを判別できる。
【００５５】
（第５実施形態）
次に、本発明に係る第５実施形態の照明装置について説明する。
本発明に係る第５実施形態の照明装置８０は、センサ制御モード状態であることを表示する表示手段８１を、一方のモードの時に点灯させ、もう一方のモードの時に消灯させる。つまり、第５実施形態は、第１実施形態における点灯回路部１５のマイコン３５の制御動作を一部変更し、センサ制御モードを通知する表示手段８１を設けた例である。
【００５６】
図１５に示すように、センサ制御モードでの調光中に、調光制御が開始される時点Ｔ７から調光制御が終了する時点Ｔ１０までの間に表示手段８１が駆動されてセンサ制御モードであることが表示される。
【００５７】
図１６に示すように、本発明に係る第５実施形態の照明装置８０の変形例は、センサ制御モードでの調光中に、調光制御が開始される時点Ｔ７から調光制御が終了する時点Ｔ１２までの間に表示手段８１が駆動されてセンサ制御モードであることが表示される。
【００５８】
第５実施形態の照明装置８０によれば、モード判別を行う際に、表示手段８１を確認するだけなので、明確に判別できる。
【００５９】
なお、本発明の照明装置においてリモコン，筐体，カバー，ＬＥＤユニット等は、前述した各実施形態に限定されるものでなく、適宜な変形や改良等が可能である。
【符号の説明】
【００６０】
１０，５０，６０，７０，８０  照明装置
１５  点灯回路部
１８  センサ部（明るさセンサ）
２１，２３  ＬＥＤユニット（主照明）
２４  常夜灯
２６  受光素子（リモコン信号受信部）
３２  電源遮断検出回路
３３  制御部
８１  表示手段
【図１】
2012199009.tif 000003
【図２】
2012199009.tif 000004
【図３】
2012199009.tif 000005
【図４】
2012199009.tif 000006
【図５】
2012199009.tif 000007
【図６】
2012199009.tif 000008
【図７】
2012199009.tif 000009
【図８】
2012199009.tif 000010
【図９】
2012199009.tif 000011
【図１０】
2012199009.tif 000012
【図１１】
2012199009.tif 000013
【図１２】
2012199009.tif 000014
【図１３】
2012199009.tif 000015
【図１４】
2012199009.tif 000016
【図１５】
2012199009.tif 000017
【図１６】
2012199009.tif 000018